(57)【特許請求の範囲】
【請求項１】
カートリッジに収納された光磁気ディスクの記録面に記録消去用の磁界を与える磁気ヘッドを、磁界付与位置と上記カートリッジを着脱可能にする退避位置との間で回動自在に支持基体に支持する磁気ヘッド支持部材と、磁気ヘッド支持部材をディスク側に付勢する付勢手段とを備えた磁気ヘッド支持機構において、
上記磁気ヘッド支持部材が上記磁気ヘッドを磁界付与位置に支持した状態で上記磁気ヘッド支持部材が上記カートリッジを収納するホルダと当接する第１当接部と、上記支持基体に当接して磁気ヘッド支持部材の回動を規制する第２当接部とを有することを特徴とする磁気ヘッド支持機構。
【請求項２】
上記第１当接部が上記ホルダに当接している状態において、上記第２当接部が上記支持基体に接触しないように設けられていることを特徴とする請求項１に記載の磁気ヘッド支持機構。
【請求項３】
請求項１又は２に記載の磁気ヘッド支持機構と、
上記磁気ヘッド支持機構に支持されて上記光磁気ディスクに磁界を与える磁気ヘッドと、
上記光磁気ディスクにレーザ光を照射する光ピックアップ装置と、
上記光磁気ディスクを回転させるディスク回転機構とを備えている光磁気記録再生装置。
【発明の詳細な説明】
【０００１】
【発明の属する技術分野】
本発明は、磁気ヘッドを有し、記録再生可能な光磁気ディスクに対して情報信号の記録、再生を行うための磁気ヘッド支持機構及び光磁気記録再生装置に関するものであり、特に、磁気ヘッドの位置決め精度及び組み立て時の作業性を向上するようにした磁気ヘッド支持機構に関するものである。
【０００２】
【従来の技術】
近年、記録媒体として光磁気ディスク（以下、ディスクと称する）が使用されるようになってきているが、上記のディスクに情報を記録する方法の一つとして、ディスクに光ピックアップよりレーザ光を照射しディスク温度を上昇させるとともに、ディスクに対し光ピックアップの反対側に対向して位置する磁気ヘッドによりディスク上の磁極の向きを変えて情報を記録する磁界変調方式がある。この磁界変調方式では、オーバーライトが可能なことから、データの書き込み時間が短縮でき、光磁気ディスクの主要な記録方式となっており、例えば、ＭＤ（ＭｉｎｉＤｉｓｋ）と呼ばれる規格のディスクにおいて利用されている。
【０００３】
従来、磁界変調方式を用いた光磁気記録再生装置の構成は、以下のようなものである。
【０００４】
図７は従来の光磁気記録再生装置の断面図であり、図８はその要部の断面図である。
【０００５】
ヘッドアーム７４には、先端部に磁気ヘッド７２が取り付けられたサスペンション７５が固定されている。また、ヘッドアーム７４はその先端に引っ掛け部７４ａが設けられ、図９に示すように、ヘッドアーム７４の回動時には、引っ掛け部７４ａが磁気ヘッド７２のフック部７２ａを引っ掛け、磁気ヘッド７２を持ち上げるように構成されている。
【０００６】
アングル７３には当接部７３ａが設けられている。ヘッドアーム７４が倒伏方向に回動すると、ヘッドアーム７４の下面がアングル７３の当接部７３ａに接触し、その位置で、アングル７３に巻装されたトーションスプリング７６によるヘッドアーム７４の回動は停止する。この当接部７３ａにより、磁気ヘッド７２のディスク７１摺接時における磁気ヘッド７２の高さ方向の位置決めを行っている。また、ヘッドアーム７４の回動が停止し、磁気ヘッド７２がディスク７１に摺接している状態において、引っ掛け部７４ａはフック部７２ａとの間に隙間を持っている。また、アングル７３、ヘッドアーム７４、トーションスプリング７６、サスペンション７５、磁気ヘッド７２で構成される磁気ヘッド支持機構単体の状態においてもヘッドアーム７４の下面が当接部７３ａに接触する。この当接部７３ａがヘッドアーム７４とアングル７３とを開くことにより、磁気ヘッド支持機構の光磁気記録再生装置への組み付け作業を容易にする。
【０００７】
【発明が解決しようとする課題】
しかしながら、この構成では次のような問題がある。
【０００８】
磁気ヘッド７２のディスク７１摺接時において、磁気ヘッド７２の高さ方向の位置と、引っ掛け部７４ａとフック部７２ａとの隙間は高精度に管理する必要があるが、上記の構成では、磁気ヘッド７２の位置決めを行っている当接部７３ａの位置がヘッドアーム７４の回動支点から近いため、ヘッドアーム７４の先端にある引っ掛け部７４ａでは高精度な位置決めができない。例えば、ヘッドアーム７４の回動支点位置から、引っ掛け部７４ａとフック部７２ａとの隙間の位置までの距離に対し、ヘッドアーム７４の回動支点位置から当接部７３ａの位置までの距離が１／５であった場合、当接部７３ａの高さ精度不良は引っ掛け部７４ａとフック部７２ａとの隙間の位置においては５倍の位置決め精度不良となる。
【０００９】
本発明は上記事情に鑑みてなされたものであり、その目的は、磁気ヘッド支持機構の光磁気記録再生装置への組み付けの良好な作業性を確保しつつ、磁気ヘッドの位置決め精度が良好な光磁気記録再生装置を提供することである。
【００１０】
【課題を解決するための手段】
本発明の磁気ヘッド支持機構は、上記の課題を解決するために、カートリッジに収納された光磁気ディスクの記録面に記録消去用の磁界を与える磁気ヘッドを、磁界付与位置とカートリッジを着脱可能にする退避位置との間で回動自在に支持基体に支持する磁気ヘッド支持部材と、磁気ヘッド支持部材をディスク側に付勢する付勢手段とを備えた磁気ヘッド支持機構において、磁気ヘッド支持部材が磁気ヘッドを磁界付与位置に支持した状態で磁気ヘッド支持部材がカートリッジを収納するホルダと当接する第１当接部と、支持基体に当接して磁気ヘッド支持部材の回動を規制する第２当接部とを有することを特徴としている。
【００１１】
上記の構成によれば、磁気ヘッド支持部材が磁気ヘッドを磁界付与位置に支持した状態で磁気ヘッド支持部材がカートリッジを収納するホルダと当接する第１当接部を有しているので、磁気ヘッドの高さ方向の位置決めを高精度にすることができる。また、支持基体に当接して磁気ヘッド支持部材の回動を規制する第２当接部とを有しているので、磁気ヘッド支持機構を光磁気記録再生装置に組み付ける際、支持基体と磁気ヘッド支持部材との間を開きながら組み付け作業を行わなくてもよい。
【００１２】
前記記載の発明における磁気ヘッド支持機構は、第１当接部が上記ホルダに当接している状態において、第２当接部が上記支持基体に接触しないように設けられていることが好ましい。
【００１３】
上記の構成によれば、第１当接部が上記ホルダに当接している状態において、第２当接部が上記支持基体に接触しないように設けられているので、第２当接部が第１当接部による磁気ヘッドの高さ方向の位置決めを妨げることがない。
【００１４】
本発明の光磁気記録再生装置は、上記磁気ヘッド支持機構と、磁気ヘッド支持機構に支持されて光磁気ディスクに磁界を与える磁気ヘッドと、光磁気ディスクにレーザ光を照射する光ピックアップ装置と、光磁気ディスクを回転させるディスク回転機構とを備えている。
【００１５】
上記の構成によれば、磁気ヘッド支持部材がカートリッジを収納するホルダと当接する第１当接部を有しているので、磁気ヘッドの高さ方向の位置決めを高精度にすることができる。また、支持基体に当接して磁気ヘッド支持部材の回動を規制する第２当接部とを有しているので、磁気ヘッド支持機構を光磁気記録再生装置に組み付ける際、支持基体と磁気ヘッド支持部材との間を開きながら組み付け作業を行わなくてもよい。さらに、第１当接部が上記ホルダに当接している状態において、第２当接部が上記支持基体に接触しないように設けられているので、第２当接部が第１当接部による磁気ヘッドの高さ方向の位置決めを妨げることがない。
【００１６】
【発明の実施の形態】
本発明の実施の一形態について図１ないし図４に基づいて説明すれば、以下の通りである。
【００１７】
図３は、光磁気記録再生装置の要部の概略構成図である。スピンドルモータ２に設けられた図示しないターンテーブルに開口部１２ａ、１２ｂを有するカートリッジ１２に収納されたディスク１０をチャッキングし、ディスク１０の一方の面に所定の距離をおいて光ピックアップ装置１４を設け、ディスク１０の他方の面上の光ピックアップ装置１４に対向する位置に磁気ヘッド３を配置し、光ピックアップ装置１４と磁気ヘッド３は連結機構１６に一体的に固定される。連結機構１６は、後述するハウジング５、アングル６、ヘッドアーム７等から構成されている。送りモータ１５により、磁気ヘッド３と光ピックアップ装置１４とは一体的に駆動され、磁気ヘッド３はディスク１０に接触した状態でディスク１０の径方向に沿って開口部１２ａ内を移動し、光ピックアップ装置１４はディスク１０の径方向に沿って開口部１２ｂ内を移動する。このとき、磁気ヘッド３から磁界が与えられるとともに、光ピックアップ装置１４からレーザ光が照射されることにより、情報の記録や消去が行われる。
【００１８】
図１は、本発明の実施の一形態である光磁気記録再生装置の断面図であり、図２はその要部の断面図である。
【００１９】
シャーシ１には、ターンテーブル４を回転駆動するスピンドルモータ２が固定され、また、前述の光ピックアップ装置１４が取り付けられている。光ピックアップ装置１４は、磁気ヘッド３とともに前述の送りモータ１５によりディスク１０の径方向に直線移動される。
【００２０】
前述の光ピックアップ装置１４の一端には一体的にハウジング５が構成されている。ハウジング５には、光ピックアップ装置側と反対側の端部にシャーシ１の上面側に立ち上る支持基体としてのアングル６が立設されている。アングル６におけるハウジング５側と反対側の端部は、磁気ヘッド支持部材である後述するヘッドアーム７の回動を支持する回動支持部６ａが側面部６ｂから突出しており、回動支持部６ａには回転支軸１７が貫通している。
【００２１】
ヘッドアーム７には、先端部に磁気ヘッド３が取り付けられ、弾性部材からなるサスペンション８が固定されている。磁気ヘッド３はサスペンション８の弾性撓みによりヘッドアーム７に対して上下方向に揺動可能に支持されており、ディスク１０の面振れに追従する。
【００２２】
また、ヘッドアーム７をディスク側に付勢する付勢手段であるトーションスプリング９は、アングル６の回転支軸１７に巻装されており、その一端はアングル６の側面部６ｂに貫通して保持され、他端はヘッドアーム７のアングル６側の端部に当接して保持されている。このトーションスプリング９により、ヘッドアーム７は常時倒伏方向、すなわちディスク１０方向に弾性偏倚（付勢）されている。これにより、磁気ヘッド３は光ピックアップ装置１４の対物レンズに対向した状態でディスク１０に摺接するように支持される。
【００２３】
シャーシ１とヘッドアーム７との間には、ホルダ１１が回動可能に設けられている。ホルダ１１は、例えば、薄板をコの字状に折り曲げ、カートリッジ収納部を形成し、上面に磁気ヘッド３の移動領域を確保するための開口部１１ａが設けられている。開口部１１ａが開口部１２ａ上に配されていることにより、磁気ヘッド３はディスク１０に摺接することができる。ホルダ１１は図示しない回動支点を有し、ディスク１０に記録再生可能なディスク装填位置（磁界付与位置）と、カートリッジ１２の挿抜を可能とするカートリッジ挿抜位置（退避位置）との間を回動する。
【００２４】
ホルダ１１の上面には、ヘッドアーム７を回動させるリフタ１３が設けられている。リフタ１３は図示しない回動支点を中心として回動可能に構成されており、ヘッドアーム７の下面に、ヘッドアーム７と隙間を持って位置する。
【００２５】
さらに、ヘッドアーム７の先端は、引っ掛け部７ａを先端に有する部位と、先端に当接部７ｃを有する延長部７ｂとに分かれている。引っ掛け部７ａは、ヘッドアーム７の回動時に磁気ヘッド３のフック部３ａを引っ掛け、磁気ヘッド３をディスク１０から持ち上げるように構成されている。ヘッドアーム７が倒伏状態であり磁気ヘッド３がディスク１０に摺接している状態において、引っ掛け部７ａはフック部３ａとの間に隙間を持っている。
【００２６】
ヘッドアーム７の先端を磁気ヘッド３の位置より更に延長した延長部７ｂは、その下面の先端に当接部７ｃを有する。磁気ヘッド３がディスク１０に摺接している状態において、当接部７ｃはホルダ１１に対して摺動自在に当接している。当接部７ｃの形状は半球状となっており、当接部７ｃの接線方向にホルダ１１が当接する。当接部７ｃを半球状とすることにより、ヘッドアーム７とホルダ１１との取り付け角度を厳密に合わせなくても接触状態が変わらないため、摺動状態を安定にすることができる。また、当接部７ｃのホルダ１１に対する摺動性を向上させるためには、当接部７ｃ又はホルダ１１に摺動性を向上させる表面コートを施してもよい。
【００２７】
当接部７ｃがカートリッジ１２を収納するホルダ１１上面に接触することにより、その接触位置でヘッドアーム７のトーションスプリング９による回動は停止し、また磁気ヘッド３の高さ（上下）方向の位置決めも行うことができる。当接部７ｃの位置が磁気ヘッド３の位置から近いため、磁気ヘッド３とディスク１０との間の高さ位置がずれにくく、磁気ヘッド３を精度良く位置決めできる。
【００２８】
ヘッドアーム７は回動支点側端部の下面からほぼ垂直に延びるように当接レバー７ｄを有しており、当接レバー７ｄはアングル６に近設されている。当接レバー７ｄと回動支持部６ａとは回転支軸１７により結合されており、アングル６にはヘッドアーム７が回転支軸１７を中心として回動可能に軸支されている。また、当接レバー７ｄはその先端部でアングル６に当接し、それ以外の部分でアングル６に当接しないよう、先端部以外は常にアングル６と隙間を持つような形状となっている。
【００２９】
図４に示すように、アングル６、ヘッドアーム７、トーションスプリング９、サスペンション８、磁気ヘッド３で構成される磁気ヘッド支持機構単体が光磁気記録再生装置に組み付けられる前の状態においては、当接レバー７ｄの先端部とアングル６とが接触し、ヘッドアーム７とアングル６とがなす角度は十分大きい角度αの状態に保持される。これにより、ヘッドアーム７とアングル６の底面部６ｃとの間に所定の間隔を確保することができる。従って、磁気ヘッド支持機構単体を光磁気記録再生装置に組み込む際、ホルダ１１のアングル６とヘッドアーム７との間への挿入や、アングル６へのハウジング５の取り付けを容易に行うことができるので、磁気ヘッド支持機構の組み付けの際の作業性を向上できる。
【００３０】
また、角度αは、磁気ヘッド支持機構単体を光磁気記録再生装置に組み付け、当接部７ｃがホルダ１１上面に接触した状態でのヘッドアーム７とアングル６とがなす角度よりわずかに小さい。これにより、当接部７ｃがホルダ１１に当接した状態では、当接レバー７ｄの先端部がアングル６と隙間を持って接触しないので、当接部７ｃによる位置決めが可能になる。
【００３１】
以下、ディスク１０排出時の動作について説明する。
【００３２】
まず、リフタ１３がＡ方向に回動することにより、リフタ１３がヘッドアーム７を持ち上げ回動させる。それに伴い、ヘッドアーム７の引っ掛け部７ａが磁気ヘッド３のフック部３ａを引っ掛けることにより磁気ヘッド３が回動し、ディスク１０から離れた位置に移動する。
【００３３】
続けて、ホルダ１１が図示しない回動支点を中心として回転して、ディスク１０を収納しているカートリッジ１２が排出される。この時、磁気ヘッド３はホルダ１１と間隔を置いた位置にあり、カートリッジ１２排出の際の妨げとならない位置まで退避している。また、ディスク１０挿入動作は前述の排出動作の逆の手順で達成される。
【００３４】
ここで、当接レバー７ｄを備えていない比較例としての光磁気記録再生装置について説明する。
【００３５】
図５に示すように、比較例におけるヘッドアーム７は当接レバー７ｄの代わりに回転支軸１７に支持される回動支持部７ｅを有している。回動支持部７ｅは、ヘッドアーム７の回動を支持する機能を有する。このような構成でも、ヘッドアーム７が当接部７ｃを有しているので、前述の構成と同様、磁気ヘッド３の高さ方向の位置決めを行うことができる。
【００３６】
しかし、図６に示すように、光磁気記録再生装置に組み込む前の、アングル６、ヘッドアーム７、トーションスプリング９、サスペンション８、磁気ヘッド３とで構成される磁気ヘッド支持機構単体の状態においては、トーションスプリング９の付勢力によりアングル６とヘッドアーム７との間の角度βが非常に小さい。それにより、磁気ヘッド支持機構単体を光磁気記録再生装置に組み込む際に、アングル６とヘッドアーム７との間を開けながら組み付け作業を行う必要があり、作業性の悪化を招来する。
【００３７】
上記のように、磁気ヘッド３を高さ方向において精度良く位置決めするために、当接部７ｃを設けるのみであると、磁気ヘッド３の高精度な位置決めは可能となるが、当接レバー７ｄを有していないので、前述の構成と比較すると磁気ヘッド支持機構の組み付けの際における作業性が劣る。
【００３８】
これに対し、本実施の形態の光磁気記録再生装置における磁気ヘッド支持機構は、当接部７ｃを有することにより磁気ヘッド３の高さ方向における高精度な位置決めを可能としつつ、当接レバー７ｄを設けることで磁気ヘッド支持機構の組み込みの際における作業性を確保するものである。
【００３９】
以上のように、本発明の光磁気記録再生装置は、当接部７ｃがホルダ１１の上面と当接することにより、ディスク１０と接触する際における磁気ヘッド３の位置決めを精度良く行うことができる。また、当接レバー７ｄを備えているので、磁気ヘッド支持機構単体を光磁気記録再生装置に組み込む際、アングル６とヘッドアーム７との間を開けながら組み付け作業を行う必要がない。これにより、磁気ヘッド支持機構の組み込みの際の作業性が確保できる。しかも、当接レバー７ｄは、当接部７ｃがホルダ１１と当接している状態ではアングル６に接触しないので、当接部７ｃによる位置決めを妨げることはない。また、当接レバー７ｄが、回転支軸１７を中心とするヘッドアーム７の回動を支持する機能も兼ねることにより、磁気ヘッド支持機構における構造の複雑化を回避することができる。
【００４０】
【発明の効果】
以上のように、本発明の磁気ヘッド支持機構は、磁気ヘッド支持部材が磁気ヘッドを磁界付与位置に支持した状態で磁気ヘッド支持部材がカートリッジを収納するホルダと当接する第１当接部と、支持基体に当接して磁気ヘッド支持部材の回動を規制する第２当接部とを有する構成である。
【００４１】
これにより、磁気ヘッドの位置決めを高精度にすることができ、また、磁気ヘッドと磁気ヘッド支持部材と支持基体とを有する磁気ヘッド支持機構を光磁気記録再生装置に組み付ける際、磁気ヘッド支持部材と支持基体との間を開けながら行う必要がなくなる。従って、磁気ヘッドの位置決めを精度良く行うことができるとともに、磁気ヘッド支持機構単体を光磁気記録再生装置に組み込む際の作業性が確保できるという効果を奏する。
【００４２】
上記の磁気ヘッド支持機構は、第１当接部が上記ホルダに当接している状態において、第２当接部が上記支持基体に接触しないように設けられている構成である。
【００４３】
これにより第２当接部が第１当接部による磁気ヘッドの高さ方向の位置決めを妨げることがない。従って、磁気ヘッド支持機構の光磁気記録再生装置への組み付けの良好な作業性を確保しつつ、磁気ヘッドの位置決め精度を良好にすることができる。
【００４４】
本発明の光磁気記録再生装置は、上記磁気ヘッド支持機構と、磁気ヘッド支持機構に支持されて光磁気ディスクに磁界を与える磁気ヘッドと、光磁気ディスクにレーザ光を照射する光ピックアップ装置と、光磁気ディスクを回転させるディスク回転機構とを備えている構成である。
【００４５】
これにより、磁気ヘッドの高さ方向の位置決めを高精度にすることができる。また、磁気ヘッド支持機構を光磁気記録再生装置に組み付ける際、支持基体と磁気ヘッド支持部材との間を開きながら組み付け作業を行わなくてもよい。さらに、第２当接部が第１当接部による磁気ヘッドの高さ方向の位置決めを妨げることがない。従って、磁気ヘッド支持機構の光磁気記録再生装置への組み付けの良好な作業性を確保しつつ、磁気ヘッドの位置決め精度が良好な光磁気記録再生装置を提供することができる。
【図面の簡単な説明】
【図１】本発明の実施の一形態に係る光磁気記録再生装置のヘッド摺接時の断面図である。
【図２】上記光磁気記録再生装置の要部断面図である。
【図３】光磁気記録再生装置の要部の概略構成図である。
【図４】上記光磁気記録再生装置における磁気ヘッド支持機構単体の断面図である。
【図５】比較例における磁気記録再生装置の磁気ヘッド摺接時の断面図である。
【図６】比較例における磁気ヘッド支持機構単体の断面図である。
【図７】従来の光磁気記録再生装置の磁気ヘッド摺接時の断面図である。
【図８】従来の光磁気記録再生装置の要部の断面図である。
【図９】従来の光磁気記録再生装置の磁気ヘッド離間時の断面図である。
【符号の説明】
１            シャーシ
２            スピンドルモータ（ディスク回転機構）
３            磁気ヘッド
３ａ          フック部
４            ターンテーブル（ディスク回転機構）
６            アングル（支持基体）
７            ヘッドアーム（磁気ヘッド支持部材）
７ａ          引っ掛け部
７ｂ          延長部
７ｃ          当接部（第１当接部）
７ｄ          当接レバー（第２当接部）
９            トーションスプリング（付勢手段）
１０            ディスク
１１            ホルダ
１１ａ          開口部
１２            カートリッジ
１２ａ          開口部
１３            リフタ
１７            回転支軸
【図１】
0003565329.tif 000002
【図２】
0003565329.tif 000003
【図３】
0003565329.tif 000004
【図４】
0003565329.tif 000005
【図５】
0003565329.tif 000006
【図６】
0003565329.tif 000007
【図７】
0003565329.tif 000008
【図８】
0003565329.tif 000009
【図９】
0003565329.tif 000010